(57)【要約】【課題】室内空間への排気の拡散を防止して、換気効率の低下を抑制し、比較的小風量で換気することができ、運転音も静かな換気装置を提供する。【解決手段】換気装置１０は、建築物ＨのキッチンＫ内に配置された電磁調理器１１前方の垂直壁面Ｗ周辺に開設された吸込口１２と連通し、建築物Ｈの外壁面ＡＷに排気口１３を有する排気経路１４と、排気口１３に連通した状態で外壁面ＡＷに取り付けられた排気装置１５と、を備え、吸込口１２の正面にはグリル１９が装着されている。また、電磁調理器１１を包囲する領域の一部である、電磁調理器１１の左右側方領域および前方領域に向かって外気を吹き出すための給気口１６が電磁調理器１１上方の天井面Ｃに設けられている。給気口１６は、天井面Ｃおよび垂直壁面Ｗ内の給気経路１７を経由して、外壁面ＡＷに開設された通気口１８に連通している。【選択図】図１
2007205636.tif 000002
【特許請求の範囲】
【請求項１】
建築物内に配置された調理器周辺に開設された吸込口と連通する排気経路と、前記排気経路の下流に設けられた排気口に連通させて前記建築物の室外に設置された排気装置と、を備え、
前記調理器を包囲する領域の少なくとも一部に向かって外気を吹き出す給気口を設けたことを特徴とする換気装置。
【請求項２】
前記給気口を、前記調理器上方の天井面、前記調理器側方の垂直壁面、前記調理器後方の垂直壁面、前記調理器の上面のうちの少なくとも一カ所に設けた請求項１記載の換気装置。
【請求項３】
建築物内に配置された調理器周辺に開設された吸込口と連通し、前記建築物の外壁面に排気口を有する排気経路と、前記排気口に連通させて屋外に設置された排気装置と、を備え、
外気を吹き出す給気口を、前記調理器上方の天井面、前記調理器側方の垂直壁面、前記調理器後方の垂直壁面、前記調理器の上面のうちの少なくとも一カ所に設け、
前記給気口から吹き出す外気を前記調理器を包囲する領域の少なくとも一部へ誘導するガイド部材を、前記調理器上方の天井面、前記調理器側方の垂直壁面、前記調理器後方の垂直壁面のうちの少なくとも一カ所に設けたことを特徴とする換気装置。
【請求項４】
前記給気口を、前記吸込口に隣接する領域または前記吸込口を包囲する領域の少なくとも一部に設けた請求項１〜３の何れかに記載の換気装置。
【請求項５】
建築物内に配置された調理器周辺に開設された吸込口と連通し、前記建築物の外壁面に排気口を有する排気経路と、前記排気口に連通させて屋外に設置された排気装置と、を備え、
前記吸込口の上方に外気を吹き出す給気口を設けるとともに、前記給気口から吹き出す外気を前記調理器の上方へ誘導するガイド部材を設けたことを特徴とする換気装置。
【請求項６】
建築物内に配置された調理器周辺に開設された吸込口と連通し、前記建築物の外壁面に排気口を有する排気経路と、前記排気口に連通させて屋外に配置された排気装置と、を備え、
前記吸込口の全周を包囲する領域から外気を吹き出す給気口を設けるとともに、前記吸込口に向かう排気流および前記給気口から吹き出す外気流がいずれも螺旋気流を形成するように、前記吸込口および前記給気口にガイド部材を設けたことを特徴とする換気装置。
【発明の詳細な説明】
【技術分野】
【０００１】
本発明は、一般家庭のキッチンや飲食店の厨房などに配備される換気装置に関する。
【背景技術】
【０００２】
一般家庭のキッチンなどに配置されている加熱調理器（例えば、電磁調理器）において調理を行っているときに発生する煙や蒸気などを屋外へ排出するため換気装置が配備されている。従来の換気装置としては、加熱調理器周辺の壁面や窓面あるいは加熱調理器の直上面に排気口や排気ファンを配置したものが多かったが、煙などを室外へ排気すると同時に屋外の空気を室内へ供給する機能を有する換気装置が提案されている（例えば、特許文献１，２参照。）。
【０００３】
【特許文献１】特開昭６１−１２２４３８号公報
【特許文献２】実開昭６１−１２３３５５号公報
【発明の開示】
【発明が解決しようとする課題】
【０００４】
特許文献１記載の換気装置（換気扇）は、台所のレンジ上方に、給気用ファンおよび排気用ファンを有する送風機能部を配置した構造であるため、比較的広い設置スペースを必要とし、運転音も大である。また、送風機能部そのものの構造が複雑であるため、メンテナンスなども困難である。
【０００５】
特許文献２記載の換気装置（台所の換気装置）の場合、室内に位置する排気路に排気ファンが設けられているため、運転音が室内へ伝わり、騒音が大である。また、排気路および排気ファンなどが室内に配置されるため、これらの機材によって調理器周辺のスペースが占有されてしまう。
【０００６】
本発明が解決しようとする課題は、室内空間への排気の拡散を防止して、換気効率の低下を抑制し、比較的小風量で排気することができ、運転音も静かな換気装置を提供することにある。
【課題を解決するための手段】
【０００７】
本発明の換気装置は、建築物内に配置された調理器周辺に開設された吸込口と連通する排気経路と、前記排気経路の下流に設けられた排気口に連通させて前記建築物の室外に設置された排気装置と、を備え、
前記調理器を包囲する領域の少なくとも一部に向かって外気を吹き出す給気口を設けたことを特徴とする。ここで、「室外」とは、建築物内の天井裏、床下空間もしくは屋外などの居室以外の場所をいう。
【０００８】
このような構成とすれば、使用中の調理器付近から発生する煙や蒸気などの排気は、外壁面に取り付けられた排気装置の働きにより、調理器周辺に開設された吸込口から吸い込まれ、排気経路を経由して屋外へ排出される。このとき、排気装置の吸込作用により室内は負圧となるため、給気口から外気が導入され、この外気は、調理器を包囲する領域の少なくとも一部に向かって吹き出される。従って、排気の周囲の少なくとも一部は外気で区画または包囲された状態となり、室内空間への排気の拡散を防止することができ、換気効率の低下が抑制され、比較的小風量で換気することができる。また、排気装置は、室外に配置されているため、運転音が調理器付近まで届かず、静かである。なお、給気口を通じて外気を導入する手段として、電動式の給気用ファンを建築物内の天井裏、床下空間若しくは屋外などの室外に設置してもよい。この場合、給気用ファンを排気装置に内蔵させることもできる。
【０００９】
ここで、前記給気口を、前記調理器上方の天井面、前記調理器側方の垂直壁面、前記調理器後方の垂直壁面、前記調理器の上面のうちの少なくとも一カ所に設けることが望ましい。このような構成とすれば、調理器付近から発生する煙や蒸気などの排気が外気で包み込まれた状態となるように、外気を吹き出し可能となるため、排気の拡散防止作用を高めることができる。
【００１０】
次に、本発明の換気装置は、建築物内に配置された調理器周辺に開設された吸込口と連通し、前記建築物の外壁面に排気口を有する排気経路と、前記排気口に連通させて屋外に設置された排気装置と、を備え、
外気を吹き出す給気口を、前記調理器上方の天井面、前記調理器側方の垂直壁面、前記調理器後方の垂直壁面、前記調理器の上面のうちの少なくとも一カ所に設け、
前記給気口から吹き出す外気を前記調理器を包囲する領域の少なくとも一部へ誘導するガイド部材を、前記調理器上方の天井面、前記調理器側方の垂直壁面、前記調理器後方の垂直壁面のうちの少なくとも一カ所に設けたことを特徴とする。
【００１１】
このような構成とすれば、給気口から吹き出す外気は、ガイド部材により、調理器を包囲する領域へ誘導されるため、調理器付近から発生する煙や蒸気の拡散を防止することができ、換気効率の低下が抑制され、小風量で換気することができる。また、排気装置は建築物の外壁面に配置されているため、運転音も静かである。
【００１２】
ここで、前記給気口を、前記吸込口に隣接する領域または前記吸込口を包囲する領域の少なくとも一部に設けることができる。このような構成とすれば、室内空間への排気の拡散を防止しながら、効率的に排気することができる。また、給気口と吸込口とを具備した部材を使用することにより、これらの設置箇所を一カ所に集約することが可能となるため、施工性が向上する。
【００１３】
次に、本発明の換気装置は、建築物内に配置された調理器周辺に開設された吸込口と連通し、前記建築物の外壁面に排気口を有する排気経路と、前記排気口に連通させて屋外に設置された排気装置と、を備え、
前記吸込口の上方に外気を吹き出す給気口を設けるとともに、前記給気口から吹き出す外気を前記調理器の上方へ誘導するガイド部材を設けたことを特徴とする。
【００１４】
このような構成とすれば、給気口から吹き出す外気はガイド部材により調理器の上方へ誘導されるため、調理器付近から発生する煙や蒸気などの排気は、前記外気によって室内空間への拡散が阻止されることとなり、換気効率の低下が抑制され、比較的小風量で換気することができる。また、排気装置は屋外に配置されているため、運転音も静かである。
【００１５】
次に、本発明の換気装置は、建築物内に配置された調理器周辺に開設された吸込口と連通し、前記建築物の外壁面に排気口を有する排気経路と、前記排気口に連通させて屋外に配置された排気装置と、を備え、
前記吸込口の全周を包囲する領域から外気を吹き出す給気口を設けるとともに、前記吸込口に向かう排気流および前記給気口から吹き出す外気流がいずれも螺旋気流を形成するように、前記吸込口および前記給気口にガイド部材を設けたことを特徴とする。
【００１６】
このような構成とすれば、調理器付近から吸込口に向かう排気および給気口から吹き出す外気は、吸込口および前記給気口にそれぞれ設けられたガイド部材の働きにより、いずれも螺旋気流を形成するように流動していくため、排気の拡散を防止して、換気効率の低下を抑制し、小風量で換気することができ、運転音も静かである。
【発明の効果】
【００１７】
本発明により、室内空間への排気の拡散を防止し、換気効率の低下を抑制し、比較的小風量で換気することができ、運転音も静かな換気装置を提供することができる。
【発明を実施するための最良の形態】
【００１８】
以下、図面に基づいて、本発明の実施の形態について説明する。図１は本発明の第１実施形態である換気装置を示す垂直断面図、図２（ａ）は図１に示す換気装置の機能を模式的に示す平面図、図２（ｂ）はその他の機能を模式的に示す平面図、図３は図１に示す換気装置を構成する排気装置付近の垂直断面図である。
【００１９】
図１に示すように、本実施形態の換気装置１０は、建築物ＨのキッチンＫ内に配置された電磁調理器１１前方の垂直壁面Ｗ周辺に開設された吸込口１２と連通し、建築物Ｈの外壁面ＡＷに排気口１３を有する排気経路１４と、排気口１３に連通した状態で外壁面ＡＷに取り付けられた排気装置１５と、を備えている。吸込口１２の正面にはグリル１９が装着されている。また、図２（ａ）に示すように、電磁調理器１１を包囲する領域の一部である、電磁調理器１１の左右側方領域Ｌ，Ｒおよび前方領域Ｆに向かって外気を吹き出すための給気口１６を電磁調理器１１上方の天井面Ｃに設けている。給気口１６は、天井面Ｃおよび垂直壁面Ｗの内部に設けられた給気経路１７を経由して、外壁面ＡＷに開設された通気口１８に連通している。なお、通気口１８の開口部分には、昆虫あるいは塵埃などの侵入を防止するためのフィルタ（図示せず）などの空気清浄手段を着脱可能に取り付けることが望ましい。
【００２０】
ここで、図３を参照して、屋外に配置された排気装置１５について説明する。図１で示したように、排気装置１５は、建築物Ｈの外壁面ＡＷに排気口１３を有する排気経路１４を通じて電磁調理器１１付近の換気を行うため、排気口１３に連通した状態で外壁面ＡＷに取り付けられている。排気装置１５の外観形状は直方体状であり、複数のネジ９０によって外壁面ＡＷに固定された本体部１５ａと、この本体部１５ａの正面を開閉可能に覆うカバー部１５ｂとを備えている。
【００２１】
排気装置１５の底面部には、格子状に開口した排出口９１が設けられ、排出口９１の上部には、排出される排気を建築物Ｈの外壁面ＡＷから離れる方向へ誘導する複数のベーンを有する誘導部材（図示せず）が装着されている。排気装置１５は、建築物Ｈの外壁面ＡＷの排気口１３に接続された、横断面が長方形をした排気流入口９２と、この排気流入口９２と連通した状態で、その下流側に配置された吸込口９３を経由して空気を吸い込む遠心ファン９４と、を備えている。
【００２２】
遠心ファン９４は、所謂、シロッコファンであり、モータ９５の回転軸９５ａに取り付けられた羽根車９６と、この羽根車９６を包囲するように配置された略蝸牛形状のファンケーシング９７などで形成されている。吸込口９３はベルマウス形状であり、本実施形態では、羽根車９６の外径よりやや内径の小さい円形開口としている。
【００２３】
図３に示すように、排気装置１５においては、排気流入口９２、吸込口９３および遠心ファン９４を、この順番で直列状に配置するとともに、排気流入口９２と吸込口９３との間に、空気流が拡散可能な迂回空間９８を設けている。即ち、排気流入口９２、吸込口９３および遠心ファン９４のそれぞれの一部が、この順番で同一直線上に位置するように配置されている。また、図３に示すように、迂回空間９８内には、排気流入口９２から吸込口９３への空気の流動を促進するガイド部材９９が設けられ、排気流入口９２の周縁全体から迂回空間９８内へ突出するような状態で突出部８３が設けられている。従って、施工時、本体部１５ａの排気流入口９２を突出部８３に係合させることにより仮固定することができる。なお、本発明を構成する排気装置は、遠心ファン９４を用いた排気装置１５に限定しないので、遠心ファン方式以外の排気装置を使用することもできる。
【００２４】
図１に示すように、キッチンＫ内の垂直壁面Ｗに設けられたスイッチ（図示せず）を操作すると排気装置１５内のモータ９５が作動して遠心ファン９４が回転し、吸込口９３に吸引力が発生する。この吸引力により、電磁調理器１１の使用中に発生した煙や蒸気などの排気Ｅを吸込口１２から吸い込み、排気経路１４内を経由して屋外へ排出することができる。
【００２５】
このように、調理中に電磁調理器１１付近から発生する煙や蒸気などの排気Ｅは、外壁面ＡＷに取り付けられた排気装置１５の働きにより、電磁調理器１１の後方壁面Ｗに開設された吸込口１２から吸い込まれ、排気経路１４を経由して建築物Ｈの外へ排出される。このとき、排気装置１５の吸込作用によりキッチンＫ内は負圧となるため、給気口１６から外気Ｆが導入され、この外気Ｆは、電磁調理器１１の左右側方領域Ｌ，Ｒおよび前方領域Ｆに向かって吹き出される。
【００２６】
従って、排気Ｅの左右側方および前方は、外気Ｆによって区画されたような状態となり、排気Ｅの拡散を防止することができる。このため、換気効率の低下を抑制することができ、小風量で換気することができる。また、排気装置１５は建築物Ｈの外壁面ＡＷに配置されているため、キッチンＫ内へモータやファンなどの回転音が届かず、運転音も静かである。なお、排気装置１５は遠心ファンを用いたものが好適であるが、これに限定するものではない。
【００２７】
本実施形態では、給気口１６を、電磁調理器１１上方の天井面Ｃに設けているため、図１に示すように、外気Ｆをエアカーテン状に吹き出すことができる。従って、電磁調理器１１付近から発生する煙や蒸気などの排気Ｅは外気Ｆによって区画されるとともに三方から包み込まれたような状態となり、排気Ｅに対する優れた拡散防止作用を得ることができる。なお、給気口１６からの外気Ｆの吹き出し領域は図２（ａ）に示す形態に限定するものではないので、例えば、図２（ｂ）に示すように、電磁調理器１１の前方から左右側方に至る円弧状領域Ｂに向かって吹き出すように設定することもできる。そのほか、給気口１６を通じて外気Ｆを導入する手段として、電動式の給気用ファン（図示せず）を建築物Ｈ内の天井面Ｃの裏側、床下空間若しくは屋外などに設置することもでき、給気用ファンを排気装置１５に内蔵させることもできる。このような外気導入手段を設ければ、安定して外気を供給することができる。
【００２８】
次に、図４〜図１７を参照し、本発明の第２〜１２実施形態について説明する。なお、図４〜図１７において図１〜図３に示す符号と同じ符号を付している部分は、第１実施形態の換気装置１０の構成部分と同じ機能、効果を発揮する部分であり、説明を省略する。
【００２９】
図４は本発明の第２実施形態である換気装置を示す垂直断面図である。本実施形態の換気装置２０においては、電磁調理器１１の右方にある垂直壁面Ｗ１に給気口１６ａを設けているため、外気は給気口１６ａから略水平方向に吹き出される。従って、外気は、電磁調理器１１の前方を遮るように吹き出し、排気装置１５の吸引により外気が吸込口１２側へ誘引され、包み込んだ排気Ｅを拡散させることなく吸込口１２へ誘導するため、効率良く排気される。
【００３０】
図５は本発明の第３実施形態である換気装置３０を示す垂直断面図である。本実施形態の換気装置３０においては、電磁調理器１１上方の天井面Ｃに給気口１６ｃが設けられている。給気口１６ｃ内には吹き出し方向を規制するガイド部材（図示せず）が設けられ、これによって異なる２方向に向かって外気Ｆ１，Ｆ２が吹き出すように設定されている。外気Ｆ１は垂直下方へ吹き出され、外気Ｆ２は電磁調理器１１の後方の垂直壁面Ｗに配置された吸込口１２のグリル１９の上方に向かって斜めに吹き出される。これによって、排気Ｅは、その前後を外気Ｆ１，Ｆ２によって狭まれたような状態となって吸込口１２に吸い込まれるため、排気Ｆの拡散を防止することができる。また、排気Ｅに含まれる煙などにより壁や天井が汚損するのを防止することができる。
【００３１】
図６（ａ）は本発明の第４実施形態である換気装置４０を示す垂直断面図、図６（ｂ）は換気装置４０の機能を示す模式図である。図６（ａ）に示すように、本実施形態の換気装置４０においては、電磁調理器１１上方の天井面Ｃに給気口１６ｄが設けられている。給気口１６ｃ内には、略円錐筒形状のガイド部材（図示せず）が下広がりの姿勢をなすように配置されているため、給気口１６ｄから吹き出す外気Ｆ３は、図６（ｂ）に示すように、スカート状に広がる。従って、図６（ａ）に示すように、排気Ｅは、その外周全体を外気Ｆ３によって包囲されたような状態となり、拡散が防止されるため、吸込口１２から効率的に吸い込むことができる。また、排気Ｅに含まれる煙などにより壁や天井が汚損するのを防止することができる。
【００３２】
なお、図１，図５，図６に示す換気装置１０，３０，４０においては、給気口１６，１６ｃ，１６ｄが電磁調理器１１上方の天井面Ｃに設けられているが、これらの位置に限定するものではないので、例えば、電磁調理器１１上方に配置された吊り戸棚（図示せず）の下面などに給気口１６，１６ｃ，１６ｄを配置することもできる。
【００３３】
図７は本発明の第５実施形態である換気装置５０を示す垂直断面図である。本実施形態の換気装置５０においては、電磁調理器１１後方の垂直壁面Ｗの吸込口１２の上方に給気口１６ｅが設けられている。また、電磁調理器１１の上方に配置された吊り戸棚５２の下面には、給気口１６ｅから吹き出す外気Ｆ４を電磁調理器１１の前方領域へ誘導するためのガイド部材５１が配置されている。ガイド部材５１は、斜面部分が凹曲面５１ａをなす略三角柱形状であり、凹曲面５１ａが給気口１６ｅに対向するように配置されている。給気口１６ｅから吹き出す外気Ｆ４はガイド部材５１の凹曲面５１ａに当接することによって進行方向が下方へ曲がり、電磁調理器１１の前方領域へ向かう。従って、電磁調理器１１の前方部分において排気Ｅは外気Ｆ４によって区画されたような状態となり、拡散が防止されるため、吸込口１２から効率的に吸い込むことができる。
【００３４】
図８は本発明の第６実施形態である換気装置６０を示す垂直断面図である。本実施形態の換気装置６０においては、垂直壁面Ｗに設けられた吸込口１２の上方に当該吸込口１２と隣接して給気口１６ｆが配置され、給気口１６ｆ内には、外気Ｆ５の吹き出し方向を斜め上方へ誘導するガイド部材（図示せず）が設けられている。また、電磁調理器１１の上方に配置された吊り戸棚５２の下面には、給気口１６ｆから吹き出す外気Ｆ５を電磁調理器１１の前方領域へ誘導するためのガイド部材５１が配置されている。給気口１６ｆから吹き出す外気Ｆ５はガイド部材５１の凹曲面５１ａに当接することによって進行方向が下方へ曲がり、電磁調理器１１の前方領域へ向かう。従って、電磁調理器１１の前方部分において排気Ｅは外気Ｆ５によって区画されたような状態となり、拡散が防止されるため、吸込口１２から効率的に吸い込むことができる。
【００３５】
図９（ａ）は本発明の第７実施形態である換気装置７０を示す垂直断面図、図９（ｂ）は換気装置７０を構成する吸込口１２および給気口１６ｇを示す正面図である。本実施形態の換気装置７０においては、垂直壁面Ｗに設けられた吸込口１２の左右側方および上方を包囲するような状態で、当該吸込口１２と隣接して給気口１６ｇが配置され、給気口１６ｇ内には、外気Ｆ６の吹き出し方向を斜め下方へ誘導するガイド部材（図示せず）が設けられている。給気口１６ｇから吹き出す外気Ｆ６は、電磁調理器１１の上方領域を包み込むように広がるため、これによって、電磁調理器１１上方の排気Ｅは外気Ｆ６によって全体的に包み込まれたような状態となり、排気Ｅの拡散が防止されるため、吸込口１２から効率的に吸い込むことができる。
【００３６】
ここで、図１０は吸込口および給気口に関するその他の実施形態を示す正面図である。図１０（ａ）に示す実施形態では、長方形をした吸込口１２の周囲全体を包囲するように長方形の給気口１６ｈが配置されるとともに、吸込口１２は給気口１６ｈの中心より少し下方に偏心した位置に配置されている。図１０（ｂ）に示す実施形態では、長円形をした吸込口１２ａの周囲全体を包囲するように長円形の給気口１６ｉが配置されるとともに、吸込口１２ａは給気口１６ｉの中心より少し下方に偏心した位置に配置されている。
【００３７】
図１０（ａ），（ｂ）に示す実施形態によれば、図１１に示す換気装置１のように、給気口１６ｈ，１６ｉの上方領域から外気Ｆ７が吹き出され、給気口１６ｈ，１６ｉの下方領域Ｕ１，Ｕ２から外気Ｆ８が吹き出される。外気Ｆ７は、煙などの排気Ｅを包み込んで室内へ拡散するのを防止し、外気Ｆ８は、排気Ｅが垂直壁面Ｗなどを汚損するのを防止する。
【００３８】
図８，図９，図１１に示す換気装置６０，７０，１においては、排気経路１４、給気経路１７が垂直壁面Ｗ内において互いに離れた状態で配置されているが、これに限定するものではない。従って、図１２に示す換気装置１００のように、垂直壁面Ｗ内において排気経路１４と給気経路１７とを互いに隣接させて配置し、排気装置１５と外壁面ＡＷとの間に外気導入経路２７を設けることもできる。換気装置１００においては、垂直壁面Ｗを貫通する排気経路１４の上方に、排気経路１４と区画された状態で、外気導入経路２７と連通する給気経路１７が設けられている。
【００３９】
このような構成とすれば、電磁調理器１１から発生する煙や蒸気などの排気Ｅを、外気導入経路２７および給気経路１７を経由して導入された外気Ｆによって包み込んで排出することができる。このため、冬季におけるキッチンＫ内の室温低下を抑制することができるだけでなく、キッチンＫ内が負圧となってドア（図示せず）が開き難くなる現象を防止することができる。また、２４時間換気システムを採用した建築物Ｈの場合、換気バランスを良好に維持しながら、電磁調理器１１付近の換気を効率良く行うことができる。この場合、図１２に示すように、給排気グリル３１における、排気経路１４と給気経路１７との境界部分に、傾斜した板状のガイド部材３２を設けることが望ましい。このガイド部材３２は、外気Ｆおよび排気Ｅを図１２に示すような状態に誘導する機能を発揮するほか、換気装置１００の不使用時、給排気グリル３１の開口部を閉塞する蓋体の役目も果たす。
【００４０】
なお、換気装置１００においては、排気装置１５と外壁面ＡＷとの間に外気導入経路２７を設けているが、排気装置１５内の外壁面ＡＷ側の領域に外気導入経路２７を設けることもできる。このようにすれば、別途、外気導入経路２７を設ける必要がなくなるので、施工性が向上するほか、排気装置１５付近の外壁面ＡＷがスッキリするので、建築物Ｈの外観を損なわない。
【００４１】
図１３は本発明の第８実施形態である換気装置の一部を示す垂直断面図である。本実施形態においては、垂直壁面Ｗに設けられた吸込口１２ｂの上方に給気口１６ｊを隣接して配置するとともに、吸込口１２ｂには板状のガイド部材Ｇ１を設け、給気口１６ｊには支軸８１を中心に起伏可能な開閉扉８２を設けている。開閉扉８２は、２枚の板状ガイド部材８２ａ，８２ｂを隙間Ｓを隔てて対向配置した構造であり、斜めに起立させると、板状ガイド部材８２ａ，８２ｂの隙間Ｓが外気Ｆ９の流路となり、垂下状態に倒伏させると、吸込口１２ｂおよび給気口１６ｊを閉塞する蓋体となる。
【００４２】
板状ガイド部材８２ａ，８２ｂの隙間Ｓを通過してきた外気Ｆ９は、板状ガイド部材８２ａの先端部分の曲面部８２ｃに沿ってＵターンした後、吸込口１２ｂに向かって流動するため、電磁調理器（図示せず）上方の排気Ｅ１を吸込口１２ｂに向かって誘引することができる。従って、排気Ｅ１の拡散が防止され、吸込口１２ｂから効率的に吸い込むことができる。
【００４３】
図１４は本発明の第９実施形態である換気装置の一部を示す垂直断面図である。本実施形態においては、垂直壁面Ｗに設けられた吸込口１２ｃの上方に給気口１６ｋを隣接して配置するとともに、吸込口１２ｃには板状のガイド部材Ｇ１を設け、給気口１６ｋには外気Ｆ１０を斜め上方へ誘導するガイド部材Ｇ２を設けている。給気口１６ｋから吹き出す外気Ｆ１０がガイド部材Ｇ２によって斜め上方へ吹き出すことにより、電磁調理器（図示せず）の上方に渦流Ｒ１が形成される。従って、排気Ｅ２は、拡散することなく、渦流Ｒ１によって誘引されながら吸込口１２ｃへ効率良く吸い込まれる。
【００４４】
図１５は本発明の第１０実施形態である換気装置の一部を示す垂直断面図である。本実施形態においては、円形の吸込口１２ｄの全周を包囲する領域から外気を吹き出す給気口１６ｍを設けるとともに、吸込口１２ｄに向かう排気Ｅ３および給気口１６ｍから吹き出す外気Ｆ１１がいずれも螺旋気流を形成するように、吸込口１２ｄおよび給気口１６ｍにそれぞれガイド部材Ｇ３，Ｇ４を設けている。また、これらの吸込口１２ｄおよび給気口１６ｍは合計３組を直列状に配置している。
【００４５】
電磁調理器（図示せず）付近から吸込口１２ｄに向かう排気Ｅ３および給気口１６ｍから吹き出す外気Ｆ１１は、吸込口１２ｄおよび給気口１６ｍにそれぞれ設けられたガイド部材Ｇ３，Ｇ４の働きにより、いずれも螺旋気流を形成するように流動していくため、排気の拡散を防止して、換気効率の低下を抑制し、小風量で換気することができる。
【００４６】
図１６は本発明の第１１実施形態である換気装置の一部を示す垂直断面図である。本実施形態においては、垂直壁面Ｗに設けられた吸込口１２ｅの上方に給気口１６ｎを隣接して配置するとともに、吸込口１２ｅと給気口１６ｎとの間に設けられた支軸８５ｂを中心に回転自在な羽根車８５が配置されている。羽根車８５は、支軸８５ｂの周囲に複数の羽根板８５ａを放射状に配列することによって形成され、羽根車８５の下面側（図１４における３時〜６時の領域）はカバー８６で覆われている。
【００４７】
吸込口１２ｅに吸い込まれる排気Ｅ４および給気口１６ｎから吹き出す外気Ｆ１２により羽根車８５は、図１４における反時計方向に回転するため、吸込口１２ｅへの排気および給気口１６ｎからの給気を効率的に行うことができる。
【００４８】
図１７は本発明の第１２実施形態である換気装置の一部を示す垂直断面図である。本実施形態においては、垂直壁面Ｗに設けられた吸込口１２ｆの上方に給気口１６ｐを隣接して配置するとともに、吸込口１２ｆには板状のガイド部材Ｇ１を設け、給気口１６ｐの内面下端には外気Ｆ１３を絞るガイド部材Ｇ５を設け、給気口１６ｐに上端には室内側へ庇状に突出した断面Ｊ形状のガイド部材Ｇ６を設けている。
【００４９】
給気口１６ｐから吹き出す外気Ｆ１３はガイド部材Ｇ５によって絞られることによって流速が増大した状態で吹き出され、ガイド部材Ｇ６の下面に沿って流動した後、先端でＪターンする。従って、電磁調理器（図示せず）の上方の排気Ｅ５は、外気Ｆ１３によって誘引されながら吸込口１２ｃへ効率良く吸い込まれる。
【産業上の利用可能性】
【００５０】
本発明の換気装置は、一般家庭のキッチンや飲食店の厨房などの換気システムとして広く利用することができる。
【図面の簡単な説明】
【００５１】
【図１】本発明の第１実施形態である換気装置を示す垂直断面図である。
【図２】（ａ）は図１に示す換気装置の機能を模式的に示す平面図、（ｂ）はその他の機能を模式的に示す平面図である。
【図３】図１に示す換気装置を構成する排気装置付近の垂直断面図である。
【図４】本発明の第２実施形態である換気装置を示す垂直断面図である。
【図５】本発明の第３実施形態である換気装置を示す垂直断面図である。
【図６】（ａ）は本発明の第４実施形態である換気装置を示す垂直断面図、（ｂ）は前記換気装置の機能を示す模式図である。
【図７】本発明の第５実施形態である換気装置を示す垂直断面図である。
【図８】本発明の第６実施形態である換気装置を示す垂直断面図である。
【図９】（ａ）は本発明の第７実施形態である換気装置を示す垂直断面図、（ｂ）は前記換気装置を構成する吸込口および給気口を示す正面図である。
【図１０】吸込口および給気口に関するその他の実施形態を示す正面図である。
【図１１】図１０に示す吸込口および給気口の機能を示す垂直断面図である。
【図１２】その他の実施の形態である換気装置を示す垂直断面図である。
【図１３】本発明の第８実施形態である換気装置の一部を示す垂直断面図である。
【図１４】本発明の第９実施形態である換気装置の一部を示す垂直断面図である。
【図１５】本発明の第１０実施形態である換気装置の一部を示す垂直断面図である。
【図１６】本発明の第１１実施形態である換気装置の一部を示す垂直断面図である。
【図１７】本発明の第１２実施形態である換気装置の一部を示す垂直断面図である。
【符号の説明】
【００５２】
１，１０，２０，３０，４０，５０，６０，７０，１００  換気装置
１１  電磁調理器
１２，１２ａ，１２ｂ，１２ｃ，１２ｄ，１２ｅ，１２ｆ  吸込口
１３  排気口
１４  排気経路
１５  排気装置
１５ａ  本体部
１５ｂ  カバー部
１６，１６ａ，１６ｃ，１６ｄ，１６ｅ，１６ｆ，１６ｇ，１６ｈ，１６ｉ，１６ｊ，１６ｋ，１６ｍ，１６ｎ，１６ｐ  給気口
１７  給気経路
１８  通気口
１９  グリル
２７  外気導入経路
３１  給排気グリル
３２，５１，９９  ガイド部材
５１ａ  凹曲面
５２  吊り戸棚
８１  支軸
８２  開閉扉
８２ａ，８２ｂ  板状ガイド部材
８２ｃ  曲面部
８３  突出部
８５  羽根車
８５ａ  羽根板
８５ｂ  支軸
８６  カバー
９０  ネジ
９１  排出口
９２  排気流入口
９３  吸込口
９４  遠心ファン
９５  モータ
９５ａ  回転軸
９６  羽根車
９７  ファンケーシング
９８  迂回空間
ＡＷ  外壁面
Ｃ  天井面
Ｅ，Ｅ１，Ｅ２，Ｅ３，Ｅ４，Ｅ５  排気
Ｆ，Ｆ１，Ｆ２，Ｆ３，Ｆ４，Ｆ５，Ｆ６，Ｆ７，Ｆ８，Ｆ９，Ｆ１０，Ｆ１１，Ｆ１２，Ｆ１３  外気
Ｇ１，Ｇ２，Ｇ３，Ｇ４，Ｇ５，Ｇ６  ガイド部材
Ｈ  建築物
Ｋ  キッチン
Ｌ  左方領域
Ｒ  右方領域
Ｒ１  渦流
Ｓ  間隔
Ｗ  垂直壁面
Ｕ１，Ｕ２  下方領域
【図１】
2007205636.tif 000003
【図２】
2007205636.tif 000004
【図３】
2007205636.tif 000005
【図４】
2007205636.tif 000006
【図５】
2007205636.tif 000007
【図６】
2007205636.tif 000008
【図７】
2007205636.tif 000009
【図８】
2007205636.tif 000010
【図９】
2007205636.tif 000011
【図１０】
2007205636.tif 000012
【図１１】
2007205636.tif 000013
【図１２】
2007205636.tif 000014
【図１３】
2007205636.tif 000015
【図１４】
2007205636.tif 000016
【図１５】
2007205636.tif 000017
【図１６】
2007205636.tif 000018
【図１７】
2007205636.tif 000019